(57)【要約】【課題】送風式薬剤蒸散装置に用いた時に、送風量によって薬剤蒸散量を簡単に知ることができる薬剤蒸散用の薬剤保持体とする。【解決手段】薬剤保持材に薬剤を含浸した薬剤蒸散用の薬剤保持体で、その薬剤保持材をフラジール形法で測定したときの通気量が１９０ｍｌ／ｃｍ２／秒であるものとし、前記薬剤を、２０℃における蒸気圧が１×１０−６〜１×１０−３ｍｍＨｇとすることで、その通気量が判ることによって、送風式薬剤蒸散装置に用いた場合に送風機の送風量によって薬剤蒸散量を簡単に知ることができる薬剤蒸散用の薬剤保持体。【選択図】図１
2005289925.tif 000002
【特許請求の範囲】
【請求項１】
２０℃における蒸気圧が１×１０−６〜１×１０−３ｍｍＨｇの薬剤を、フラジール形法で測定したときの通気量が１９０ｍｌ／ｃｍ２／秒以上の薬剤保持材に含浸させたことを特徴とする薬剤蒸散用の薬剤保持体。
【請求項２】
薬剤保持材に薬剤を、その通気量に基づく薬剤保持限界量以下の量を含浸させた請求項１記載の薬剤蒸散用の薬剤保持体。
【請求項３】
薬剤保持材の厚みが０．０２〜１．０ｍｍの範囲である請求項１又は２記載の薬剤蒸散用の薬剤保持体。
【請求項４】
薬剤保持材が不織布である請求項１〜３いずれか１項記載の薬剤蒸散用の薬剤保持体。
【請求項５】
２０℃における蒸気圧が１×１０−６〜１×１０−３ｍｍＨｇの薬剤が、メトフルトリン、トランスフルトリン、プロフルトリンである請求項１〜４いずれか１項記載の薬剤蒸散用の薬剤保持体。
【発明の詳細な説明】
【技術分野】
【０００１】
本発明は、自然蒸散式薬剤蒸散装置や送風式薬剤蒸散装置に用いる薬剤蒸散用の薬剤保持体に関する。
【背景技術】
【０００２】
薬剤蒸散用の薬剤保持体は種々提案されている。
例えば、特許文献１に開示された薬剤蒸散用の薬剤保持体は、密度と厚さと単位空間容積当たりの蒸散量を所定の値として長期間蒸散できるようにしたものである。
また、特許文献２に開示された薬剤蒸散用の薬剤保持体は、所定のメッシュネットを複数枚重ねて通気性が良く、薬剤の保持量が大きいものである。
【０００３】
【特許文献１】特開２０００−１８９０３２号公報
【特許文献２】特開２００１−２００２３９号公報
【発明の開示】
【発明が解決しようとする課題】
【０００４】
前述した薬剤蒸散用の薬剤保持体は、高い薬効力があること、十分な量の薬剤量を保持していること、優れた持続効果を発揮すること、薬剤を効率良く蒸散できること、等を満足することが好ましい。
前述した特許文献１、特許文献２に開示された薬剤蒸散用の薬剤保持体は前述のことのいくつかを満足するものである。
【０００５】
一方、薬剤蒸散用の薬剤保持体を送風式薬剤蒸散装置に用いた場合には、送風機のファンの回転によって薬剤蒸散用の薬剤保持体に空気が流通し、薬剤とともに大気に放出することで蒸散するから、その薬剤蒸散量は送風機の送風量によって決定されることになり、その送風機の送風能力に基づいて薬剤蒸散量を求めることが可能である。
【０００６】
このように、薬剤蒸散量を求めることができれば、その送風式薬剤蒸散装置の使用場所や使用目的に適した薬剤蒸散量となるように設計することが可能となるので好ましい。
しかし、前述した特許文献１，２に開示された薬剤蒸散用の薬剤保持体を用いた送風式薬剤蒸散装置では、送風機の送風量によって薬剤蒸散量を求めることは困難であった。
【０００７】
本発明の目的は、送風式薬剤蒸散装置に用いた場合に、その送風機の送風量によって薬剤蒸散量を簡単に知ることができるようにした薬剤蒸散用の薬剤保持体を提供することである。
【課題を解決するための手段】
【０００８】
本発明者等は、薬剤蒸散用の薬剤保持体を用いた送風式薬剤蒸散装置の薬剤蒸散量について鋭意研究、実験した結果、薬剤蒸散用の薬剤保持体を流通する空気量によって薬剤蒸散量を簡単に求めることができることを見出し、本発明に到った。
【０００９】
本発明は、２０℃における蒸気圧が１×１０−６〜１×１０−３ｍｍＨｇの薬剤を、フラジール形法で測定したときの通気量が１９０ｍｌ／ｃｍ２／秒以上の薬剤保持材に含浸させたことを特徴とする薬剤蒸散用の薬剤保持体である。
【発明の効果】
【００１０】
本発明の薬剤蒸散用の薬剤保持体によれば、その通気量が規定されているので、送風式薬剤蒸散装置に用いた場合に、その送風機の送風量によって薬剤保持体の通過流量が判るから、薬剤揮散量を簡単に知ることができる。
したがって、送風式薬剤蒸散装置を、その使用場所や使用目的に適した薬剤蒸散量となるように設計することが可能である。
【００１１】
また、通気量が１９０ｍｌ／ｃｍ２／秒以上であるから、この薬剤保持体を用いることで強い効力が得られる。
【発明を実施するための最良の形態】
【００１２】
本発明の薬剤蒸散用の薬剤保持体を用いる送風式薬剤蒸散装置の一例を図１に基づいて説明する。
本体１とカバー体２で装置本体３を構成し、この装置本体３内に送風機４と電池５を取付けると共に、送風機４と対向した薬剤保持体取付部６を有する。
前記薬剤保持体取付部６に、本発明に係る薬剤蒸散用の薬剤保持体（以下単に薬剤保持体という）１０を取付けた状態で、送風機４のファン４ａをモータ４ｂで回転すると、カバー体２の入口孔７から空気を吸い込み、薬剤保持体１０を通って本体１の出口孔８から薬剤と共に大気に排出される。
【００１３】
図１に示す薬剤保持体１０は薄いシート状であるから、容器１１内に入れ、蓋１２で押さえることで所定の形状に維持している。なお、容器１１、蓋１２は通気用の開口１１ａ，１２ａを有している。
そして、容器１１を薬剤保持体取付部６に嵌め込んで取付けている。
【００１４】
次に、薬剤保持体１０について説明する。
この薬剤保持体１０は、フラジール形法で測定したときの通気量が１９０ｍｌ／ｃｍ２／秒以上の薬剤保持材に、２０℃における蒸気圧が１×１０−６〜１×１０−３ｍｍＨｇの薬剤を含浸させたものである。
【００１５】
前述のフラジール形法とは、ＪＩＳ規格（ＪＩＳ−Ｌ−１０９６）で定められた一般織物試験方法の１つで、試料の異なる５か所から試験片を採取し、フラジール形試験機を用いて所定の方法によって、その試験片を通過する空気量（ｃｍ３／ｃｍ２・Ｓ）を求める方法である。なお、判定は５回とし、その平均値を算出する。
【００１６】
次に試験例を説明する。
１．供試材料
薬剤保持材として、通気性の異なる７種類のポリエステル製の不織布を準備した。
２．通気量の判定
前述の７種類のポリエステル製の不織布の通気量（ｍｌ／ｃｍ２／秒）を、前述したＪＩＳ−１０９６（一般織物試験方法）の通気性測定方法であるフラジール形法（Ａ法）により測定した。
各不織布の通気量は下記の表１に示すとおりであった。
【００１７】
【表１】
2005289925.tif 000003
【００１８】
３．薬剤の含浸について
薬剤にメトフルトリンを用いた。
このメトフルトリン３０ｇを溶剤（ケロシン）に全量１００ｍｌになるように溶解させ原液を得た。
この原液を容器に入れ、その容器内に各不織布（直径４２ｍｍ）を浸漬して含浸させる。
各不織布を手で振って溶剤を切り、重量を測定し、この重量と容器に入れる前の重量との重量差と溶剤の比重から含浸した薬剤量、つまり含浸する最大の薬剤量（薬剤保持限界量）を求めた。
前述の通気量の異なる各不織布の薬剤保持限界量は、前述の表１に示すとおりであった。
【００１９】
前述の通気量と薬剤保持限界量の関係を図表で示すと図２に示す曲線Ａのとおりであった。
図２の曲線Ａを数式で表すと、
【００２０】
Ｙ＝８５００×−０．７
【００２１】
であった。但し、Ｘは通気量（ｍｌ／ｃｍ２／秒）、Ｙは薬剤保持限界量（ｍｌ／ｍ２）である。
【００２２】
４．効力試験について
前述の各不織布に薬剤を含浸した薬剤保持体を、図１に示す送風式薬剤蒸散装置にセットし、広さ８畳（３３ｍ２）の居室試験室の中央床面に、前述の装置を設置し、蒸散開始３時間後に、アカイエカ雌成虫１００匹を放ち、その後の経時的なノックダウン数を観察し、ブリス（ＢＬｉｓｓ）のプロビット（Ｐｒｏｂｉｔ）法によりＫＴ５０値を求めた。
この結果は、下記の表２に示すとおりであった。
【００２３】
【表２】
2005289925.tif 000004
【００２４】
表２において、含浸条件（６０）とは薬剤保持体の薬剤保持限界量の６０％の薬剤を含浸させたことである。
また、効力は、通気量４００ｍｌ／ｃｍ２／秒の薬剤保持体の効力（ＫＴ５０）を１００としたときの相対効力比で、数値が大きい程効力が大きい。
【００２５】
本発明に用いることができる薬剤保持材は、必要な薬剤を含浸させる能力が要求されるため、不織布や織編物等に加工してなる形態が好ましい。さらに、材質としては使用される薬剤に応じ、耐薬剤性を有することが望まれる。例えば、天然繊維としてパルプ、綿、羊毛、麻、絹等、合成繊維としてポリプロピレン、ポリエチレン、ポリアミド、ポリエチレンテレフタレート、ポリブチレンテレフタレート、ポリサルフォン、レーヨン、メタアクリル酸樹脂、ガラス繊維等が挙げられる。
【００２６】
これらの薬剤保持材は、薬剤の保持力を確保するためには厚さ０．０２ｍｍ以上、好ましくは０．０５ｍｍ以上、密度が０．０５ｇ／ｃｍ３以上、好ましくは０．１ｇ／ｃｍ３以上であることが望ましく、薬剤を常温において蒸散させ易くするためには、厚さが１ｍｍ以下、好ましくは０．８ｍｍ以下、密度が１．０ｇ／ｃｍ３以下、好ましくは０．８ｇ／ｃｍ３以下であることが望ましい。
【００２７】
本発明において用いられる常温揮散性の薬剤としては、従来からの害虫駆除剤（殺虫剤、殺ダニ剤）、殺菌剤、忌避剤、芳香剤（香水、ハーブなど）、医薬品（メントール、ユーカリオイル等、気管、風邪等の吸入用薬剤）等の目的で使用されている各種の薬剤を、目的に応じて単独で又は２種以上組み合わせて使用できる。通常、２０℃における蒸気圧が１．０×１０−６ｍｍＨｇ以上薬剤が好ましく、より好ましくは２０℃における蒸気圧が１．０×１０−４ｍｍＨｇ以上の化合物である。
【００２８】
例えば殺虫を目的として使用する場合、従来より用いられている各種蒸散性殺虫剤を用いることができ、ピレスロイド系殺虫剤、カーバメイト系殺虫剤、有機リン系殺虫剤等を挙げることができる。一般に安全性が高いことからピレスロイド系殺虫剤が好適に用いられており、それらの具体例として以下のものが例示できる。
・一般名；化学名（商品名、メーカー）
＊アレスリン；ｄ１−３−アリル−２−メチル−４−オキソ−２−シクロペンテニル  ｄ１−シス／トランス−クリサンテマート（ピナミン、住友化学工業（株））
＊ｄ１・ｄ−Ｔ８０−アレスリン；ｄ１−３−アリル−２−メチル−４−オキソ−２−シクロペンテニル  ｄ−シス／トランス−クリサンテマート（ピナミンフォルテ、住友化学工業（株））
＊ｄ１・ｄ−Ｔ−アレスリン；ｄ１−３−アリル−２−メチル−４−オキソ−２−シクロペンテニル  ｄ−トランス−クリサンテマート（バイオアレスリン）
＊ｄ・ｄ−Ｔ−アレスリン；ｄ−３−アリル−２−メチル−４−オキソ−２−シクロペンテニル  ｄ−トランス−クリサンテマート（エスビオール）
＊ｄ・ｄ−Ｔ８０−プラレトリン；（＋）−２−メチル−４−オキソ−３−（２−プロピニル）−２−シクロペンテニル  （＋）−シス／トランス−クリサンテマート（エトック、住友化学工業（株））
＊レスメトリン；５−ベンジル−３−フリルメチル  ｄ１−シス／トランス−クリサンテマート（クリスロン、住友化学工業（株））
＊ｄ−Ｔ８０−レスメトリン；５−ベンジル−３−フリルメチル  ｄ−シス／トランス−クリサンテマート（クリスロンフォルテ、住友化学工業（株））
＊フラメトリン；５−プロパギル−２−フリルメチル  ｄ−シス／トランス−クリサンテマート（ピナミンＤ、住友化学工業（株））
＊ペルメトリン；３−フェノキシベンジル  ｄ１−シス／トランス−３−（２，２−ジクロロビニル）−２，２−ジメチル−１−シクロプロパンカルボキシラート（エクスミン、住友化学工業（株））
＊フェノトリン；３−フェノキシベンジル  ｄ−シス／トランス−クリサンテマート（スミスリン、住友化学工業（株））
＊シペルメトリン；α−シアノ−３−フェノキシベンジル  ｄ１−シス／トランス−３−（２，２−ジクロロビニル）−２，２−ジメチルシクロプロパンカルボキシラート（アグロスリン、住友化学工業（株））
＊シフェノトリン；（±）α−シアノ−３−フェノキシベンジル  （＋）−シス／トランス−クリサンテマート（ゴキラート、住友化学工業（株））
＊エンペントリン；１−エチニル−２−メチル−２−ペンテニル  ｄ１−シス／トランス−３−（２，２−ジメチルビニル）−２，２−ジメチル−１−シクロプロパンカルボキシラート（ベーパースリン、住友化学工業（株））
＊テラレスリン；ｄ１−３−アリル−２−メチル−４−オキソ−２−シクロペンテニル−ｄ１−シス／トランス−２，２，３，３−テトラメチル−シクロプロパンカルボキシラート（ノックスリン、住友化学工業（株））
＊イミプロスリン；２，４−ジオキソ−１−（プロプ−２−イニル）−イミダゾリジン−３−イルメチル（１Ｒ）−シス／トランス−クリサンテマート（プラール、住友化学工業（株））
＊エトフェンプロックス；２−（４−エトキシフェニル）−２−メチルプロピル−３−フェノキシベンジルエーテル（トレボン）
＊フェンプロパトリン；α−シアノ−３−フェノキシベンジル  シス／トランス−２，２，３，３−テトラメチルシクロプロパンカルボキシラート
＊フェンフルスリン；２，３，４，５，６−ペンタフルオロベンジル−ｄ１−シス／トランス−３−（２，２−ジクロロビニル）−２，２−ジメチル−１−シクロプロパンカルボキシラート
＊トランスフルスリン；ｄ−トランス−２，３，５，６−テトラフルオロベンジル−３−（２，２−ジクロロビニル）−２，２−ジメチル−１−シクロプロパンカルボキシラート
＊１−エチニル−２−メチル−２−ペンテニル  シス／トランス−２，２，３，３−テトラメチル−１−シクロプロパンカルボキシラート
＊２，３，５，６−テトラフルオロ−４−メトキシメチルベンジル３−（１−プロペニル）−２，２−ジメチルシクロプロパンカルボキシラート（メトフルトリン）
＊２，３，５，６−テトラフルオロ−４−メトキシメチルベンジル３−（２−メチル−１−プロペニル）−２，２−ジメチルシクロプロパンカルボキシラート
＊２，３，５，６−テトラフルオロ−４−メチルベンジル３−（２−メチル−１−プロペニル）−２，２−ジメチルシクロプロパンカルボキシラート
＊２，３，５，６−テトラフルオロ−４−メチルベンジル３−（２−クロロ−２−フルオロビニル）−２，２−ジメチルシクロプロパンカルボキシラート
＊２，３，５，６−テトラフルオロ−４−メチルベンジル３−（１−プロペニル）−２，２−ジメチルシクロプロパンカルボキシラート（プロフルトリン）
＊１−エチニル−２−メチル−２−ペンテニル３−（２−クロロ−２−フルオロピニル）−２，２−ジメチルシクロプロパンカルボキシラート
【００２９】
有機リン系殺虫剤の具体例としては、以下のものが挙げられる。
＊ダイアジノン；（２−イソプロピル−４−メチルピリミジル−６）−ジエチルチオホスフェート（ダイアジノン）
＊フェニトロチオン、ＭＥＰ；Ｏ，Ｏ−ジメチル−Ｏ−（３−メチル−４−ニトロフェニル）チオホスフェート（スミチオン）
＊ピリダフェンチオン；Ｏ，Ｏ−ジメチル−Ｏ−（３−オキソ−２−フェニル−２Ｈ−ピリダジン−６−イル）ホスホロチオエート（オフナック）
＊マラチオン；ジメチルジカルベトキシエチルジチオホスフェート（マラソン）
＊ディプテレックス；Ｏ，Ｏ−ジメチル−２，２，２−トリクロロ−１−ハイドロオキシエチル  ホスホネイト
＊クロルピリホス；Ｏ，Ｏ−ジエチル−Ｏ−（３，５，６−トリクロル−２−ピリジル）−ホスホロチオエート
＊フェンチオン；Ｏ，Ｏ−ジエチル−Ｏ−（３−メチル−４−メチルチオフェニル）−ホスホロチオエート（バイテックス）
＊ジクロルボス；Ｏ，Ｏ−ジメチル−２，２−ジクロロビニルホスフェート（ＤＤＶＰ）
＊プロペタンホス；Ｏ−［（Ｅ）−２−イソプロポキシカルボニル−１−メチルビニル］−Ｏ−メチルエチルホスホラミドチオエート（サフロチン）
＊アベイト；Ｏ，Ｏ，Ｏ′，Ｏ′−テトラメチル−Ｏ，Ｏ′−チオジ−Ｐ−フェニレン  ホスホロチオエート
＊プロチオホス；ジチオリン酸Ｏ−２，４−ジクロロフェニル  Ｏ−エチルＳ−プロピルエステル（トヨチオン）
＊ホキシム；Ｏ，Ｏ−ジエチル−Ｏ−（α−シアノベンジリデンアミノ）チオホスフェート
【００３０】
クロロニコチン系殺虫剤の具体例としては、以下のものが挙げられる。
＊イミダクロプリド；１−（６−クロロ−３−ピリジルメチル）−Ｎ−ニトロイミダゾリジン−２−イリデンアミン（ハチクサン）
＊アセタミプロリド；（Ｅ）−Ｎ１−［（６−クロロ−３−ピリジル）メチル］−Ｎ２−シアノ−Ｎ１−メチルアセトンアミジン（モスピラン）
【００３１】
害虫成長制御剤の具体例としては、以下のものが挙げられる。
＊ピリプロキシフェン；２−［１−メチル−２−（４−フェノキシフェノキシ）エトキシ］ピリジン（スミラブ）
＊メトプレン；１１−メトキシ−３，７，１１−トリメチル−２，４−ドデカジエノイックアシド−１−メチルエチルエステル
＊ジフルベンズロン；１−（４−クロロフェニル）−３−（２，６−ジフロロベンゾイル）ウレア
＊シロマジン；２−シクロプロピルアミノ−４，６−ジアミノ−ｓ−トリアジンオキサジアゾール
＊メトキサジアゾン；５−メトキシ−３−（２−メトキシフェニル）−Ｏ−１，３，４−オキサジアゾール−２（３Ｈ）−オン（エレミック）
【００３２】
また、その使用目的に応じて、防虫剤、防カビ剤、消臭剤、忌避剤、香料等、従来から用いられている蒸散性薬剤も使用できる。
【００３３】
例えば、殺菌・防カビ剤としては、ｏ−フェニルフェノール、イソプロピルメチルフェノール、２−クロロ−４−フェニルフェノール、チモール等、香料としては、天然及び人工の各種香料を使用でき、例えば動物性、植物性の天然香料、あるいは炭化水素、アルコール、フェノール、アルデヒド、ケトン、ラクトン、オキシド、エステル類等の人工香料などが挙げられる。
【００３４】
忌避剤の具体例としては、以下のようなものが挙げられる。
＊Ｎ，Ｎ−ジエチル−ｍ−トルアミド（ディート）
＊ジメチルフタレート
＊ジブチルフタレート
＊２−エチル−１，３−ヘキサンジオール
＊ジ−ｎ−プロピル  イソシンコメロネート
＊ｐ−ジクロロベンゼン
＊ジ−ｎ−ブチルサクシネート
＊カラン−３，４−ジオール
＊１−メチルプロピル−２−（２−ヒドロキシエチル）−１−ピペリジンカルボキシラート
さらに、防虫、又は除菌や消臭等の効能を示すユーカリ油、レモングラス油、レモン油、ヒノキチオール、シトロネラ油、ハッカ油、オレンジフラワー油、ゲラニウム油、スペアミント油、キンモクセイ油、シナモンリーフ油等の植物精油、又はそれらの抽出有効成分も挙げられる。
【００３５】
さらに、下記のような共力剤を他の薬剤と混合して使用できる。
＊ブチルカービトル  ６−プロピル−ピペロニル  エーテル（商品名ピペロニルブトキサイド）
＊オクタクロロジプロピルエーテル（商品名Ｓ−４２１）
＊イソボルニルチオシアナアセテート（商品名ＩＢＴＡ）
＊Ｎ−オクチルビシクロヘプテンカルボキシイミド（商品名サイネピリン２２２）
（２−エチルヘキシル）−１−イソプロピル−４−メチルビシクロ（２，２，２）オクト−５−エン−２，３−ジカルボキシイミド（商品名サイネピリン５００）
【図面の簡単な説明】
【００３６】
【図１】送風式薬剤蒸散装置の断面図である。
【図２】通気量と薬剤保持限界量の関係を示す図表である。
【符号の説明】
【００３７】
３…装置本体、４…送風機、１０…薬剤保持体。
【図１】
2005289925.tif 000005
【図２】
2005289925.tif 000006